(57)【特許請求の範囲】
【請求項１】
住宅内部の空気を外部に放出するとともに外気を住宅内部に供給する住宅用換気装置に接続され、外気流入管を介して該住宅用換気装置内に導入した外気を各室内に分割して供給する分岐排出管群のそれぞれに配置される風量調節装置であって、
上記分岐排出管群にそれぞれ接続されるダクトと、これらのダクト内に配置され該ダクト内を流通する空気の風量を調節する風量調節手段と、を備え、
前記風量調節手段は、円板状に成形されてなる第１のダンパと、この第１のダンパに形成され該第１のダンパが回動される際の軸芯となるとともに先端側は上記ダクトの外部に露出してなる第１の回動軸と、この第１の回動軸に形成された第１の位置決め片と、上記ダクトの外周面に上記第１の回動軸を中心に円弧状に並設されてなるとともに上記第１の位置決め片が係合する第１の係合部と、半円状に成形された第２のダンパと、この第２のダンパに形成され上記第１の回動軸と同一の軸芯を有するとともに先端側は上記ダクトの外側に露出してなる第２の回動軸と、この第２の回動軸に形成された第２の位置決め片と、上記ダクトの外周面に形成され上記第２の位置決め片が係合する第２の係合部と、を備えてなることを特徴とする風量調節装置。
【請求項２】
前記ダクトは、前記第１の回動軸又は第２の回動軸が挿通される一方のスリットが形成された第１のダクトと、この第１のダクトの外径よりも大径とされた内径を有し上記第１の回動軸又は第２の回動軸が挿通される他方のスリットが形成された第２のダクトとが接続されてなり、
前記第１の係合部及び第２の係合部は、上記第１のダクト又は第２のダクトに形成されてなるとともに、
前記第１のダンパ及び第２のダンパは、該第１のダンパを構成する第１の回動軸又は第２のダンパを構成する第２の回動軸が上記一方のスリットと他方のスリットとの両方に挿通されてなるとともに上記第１のダクトと第２のダクトとにより挟持されてなることを特徴とする請求項１記載の風量調節装置。
【請求項３】
前記ダクトには、前記風量調節手段を挟んだ一方側には該ダクト内に連通してなる一方の分岐管部又は開口が形成され、上記風量調節手段を挟んだ他方側には該ダクト内に連通してなる他方の分岐管部又は開口が形成され、上記一方の分岐管部又は開口と、上記他方の分岐管部又は開口とは、一方の接続チューブと他方の接続チューブとを介して微差圧計に接続されてなることを特徴とする請求項１又は２記載の風量調節装置。
【請求項４】
前記請求項３記載の風量調節装置を用いた風量調節方法であって、
上記風量調節装置に形成された一方の分岐管部又は開口と微差圧計とを一方の接続チューブを介して接続し、該風量調節装置に形成された他方の分岐管部又は開口と上記微差圧計とを他方の接続チューブを介して接続し、上記分岐排出管郡の何れかに配置された特定の風量調節装置を流通する風量を、該微差圧計による計測結果に基づき、該風量調節装置を構成する風量調節手段を操作することにより調節することを特徴とする風量調節方法。
【請求項５】
前記請求項４記載の風量調節方法においては、
前記請求項１ないし３記載の何れかの風量調節装置を構成する一方の分岐管部又は開口に一端が接続された一方の上流側接続チューブの他端が接続される一方の上流側接続部と、前記請求項１ないし３記載の何れかの風量調節装置を構成する他方の分岐管部又は開口に一端が接続された他方の上流側接続チューブの他端が接続される他方の上流側接続部とが、それぞれ前記分岐排出管群の数に応じて複数形成されてなるとともに、上記一方の上流側接続部に連通してなるとともに一端は前記微差圧計に接続されてなる一方の接続チューブの他端が接続される一方の下流側接続部と、上記他方の上流側接続部に連通してなるとともに一端は前記微差圧計に接続されてなる他方の接続チューブの他端が接続される他方の下流側接続部と、が形成されてなる接続アダプタを用い、
上記分岐排出管群の数に応じた上記各一方の上流側接続チューブの一端をそれぞれ上記一方の分岐管部又は開口に接続するとともに、各一方の上流側接続チューブの他端を上記一方の上流側接続部に接続し、
上記分岐排出管群の数に応じた上記各他方の上流側接続チューブの一端をそれぞれ上記他方の分岐管部又は開口に接続するとともに、各他方の上流側接続チューブの他端を上記他方の上流側接続部に接続し、
一端が上記微差圧計に接続された一方の接続チューブの他端を、上記複数形成された一方の下流側接続部の内の何れかに接続するとともに、一端が該微差圧計に接続された他方の接続チューブを、上記一方の接続チューブを介して連通した特定の風量調節装置を構成する他方の分岐管部又は開口との対応関係を有する特定の他方の下流側接続部に接続し、
上記分岐排出管郡の何れかに配置された特定の風量調節装置を流通する風量を、該微差圧計による計測結果に基づき、該風量調節装置を構成する第１及び／又は第２のダンパを操作することにより調節することを特徴とする風量調節方法。
【請求項６】
前記接続アダプタを構成する一方の上流側接続部と他方の上流側接続部とは、それぞれ交互に且つ直線状に形成されてなることを特徴とする請求項５記載の風量調節方法。
【発明の詳細な説明】
【技術分野】
【０００１】
本発明は、例えば、住宅内部の空気を外部に放出するとともに住宅の外部から取り込んだ空気（外気）を複数の室内に供給する際に、該複数の室内に供給する空気の量（風量）を調節するために使用される風量調節装置及びこの風量調節装置を用いた風量調節方法に関するものである。
【背景技術】
【０００２】
近年、住宅の建材に含まれるフォルムアルデヒド等の化学物質による人体への悪影響を防止・緩和するために、一定の要件を満たす住宅には、所定の換気設備の設置が義務付けられている。他方、住宅で消費されるエネルギーの無駄を省き、省エネルギー化に貢献するべきことは、住宅に住む消費者のみならず国からの要請でもある。しかしながら、上記換気設備の設置は、住宅内で暖められ又は冷やされた空気を外部に放出することを意味するものであり、省エネルギー化の要請とは相矛盾することとなる。そこで、従来では、こうした換気設備の設置により住宅内の空気を外部に放出するとともに、住宅内に供給する外気との間で熱交換することにより、熱エネルギーを有効に回収することを目的とした住宅用換気システムが提案されている。こうした換気システムは、計画換気とも称され、一定量の外気を強制的に住宅内に供給する経路と、住宅内の空気を一定量強制的に屋外に排出する経路とを有している。
【０００３】
ところで、こうした計画換気を行う場合には、必要換気量を確保しつつ住宅用換気装置を構成する換気ファン（換気扇）の消費電力を低減するため、換気システム全体の圧力損失を可能な限り低減する必要がある。
【０００４】
そこで、従来では、住宅用換気装置を住宅の天井裏などに設置し、この住宅用換気装置から各室内に供給するダクト長を均等とすることにより、給気口からの風量を計算し、各室内に最適な換気量を確保する方法（以下、第１の方法と言う。）や、住宅用換気装置に内蔵された換気扇の能力・出力を増強したり、各室内の吹出し口に配置された弁やフラップ若しくはダンパを適宜操作・調節したりすることにより換気量を変更しようとする方法（以下、第２の方法と言う。）が採用されている。
【０００５】
上記第２の方法を具体的に詳細に説明すると、例えば、以下に説明する前提を元に以下の方法が採用されている。図１６に示すように、住宅内には、４つの部屋Ａ・・・Ｄが設けられており、これらの部屋Ａ・・・Ｄは、全ての部屋Ａ・・・Ｄの換気を行う単一の住宅用換気装置Ｘが配置され、該住宅用換気装置Ｘと各部屋Ａ・・・ＤとはそれぞれダクトＡ１・・・Ｄ１により接続されている。これらのダクトＡ１・・・Ｄ１の圧力損失（ダクト長，曲がりなどから算出された値）は、例えば、部屋Ａでは２０Ｐａ，部屋Ｂでは４０Ｐａ，部屋Ｃでは６０Ｐａ，部屋Ｄでは８０Ｐａとする。上記住宅用換気装置Ｘには、図示しない換気扇が内蔵され、この換気扇による換気量を２００ｍ３／ｈとしたとき、各部屋Ａ・・・Ｄに供給される換気量を図示しない風力測定器にて計測した場合、部屋Ａでは８０ｍ３／ｈ，部屋Ｂでは６０ｍ３／ｈ，部屋Ｃでは４０ｍ３／ｈ，部屋Ｄでは２０ｍ３／ｈとなった（測定値）と仮定する。他方、各部屋Ａ・・・Ｄに必要とされる換気量は、部屋Ａでは６０ｍ３／ｈ，部屋Ｂでは４０ｍ３／ｈ，部屋Ｃでは３８ｍ３／ｈ，部屋Ｄでは２８ｍ３／ｈとする（必要換気量）。この場合、上記測定値と必要換気量とを比較すると、部屋Ａ・・Ｃでは、必要換気量を満たしているが、部屋Ｄに関しては満たしていない。そこで、従来では、次の２つの方法の何れかで必要換気量を確保している。最初の方法（以下、第２−１の方法と言う。）は、上記換気扇による換気量を２００ｍ３／ｈから３００ｍ３／ｈに変更する方法である。この第２−１の方法によれば、各部屋Ａでは１２０ｍ３／ｈ，部屋Ｂでは９０ｍ３／ｈ，部屋Ｃでは６０ｍ３／ｈ，部屋Ｄでは３０ｍ３／ｈにそれぞれの換気量が変更されるとともに、必要となる換気量は全ての部屋Ａ・・・Ｄで満たされ、また、後述するような細かな調節作業は不要となる。
【０００６】
一方、別の方法（以下、第２−２の方法と言う。）は、上記各部屋Ａ・・・Ｄと住宅用換気装置Ｘとを結ぶ上記ダクトＡ１・・・Ｄ１の先端の吹出し口に配置された図示しないダンパ等を適宜操作・調節する方法である。すなわち、この第２−２の方法は、必要換気量を上回る測定値が風力測定器により計測された部屋（例えば部屋Ａ，Ｂ，Ｃ）の換気量を、必要換気量を下回らない範囲で、上記ダンパ等を適宜操作・調節することにより、必要換気量を下回る部屋Ｄの換気量を増加させる方法である。この第２−２の方法によれば、上記換気扇の能力・出力を変更する必要がないばかりではなく、各部屋Ａ・・・Ｄの必要換気量を大きく上回る換気量となることがなく、省エネルギー化にも大きく貢献することができる。
【発明の開示】
【発明が解決しようとする課題】
【０００７】
しかしながら、上述した各方法では、以下に説明する課題があり採用することができない。すなわち、上記住宅用換気装置から各室内に供給するダクト長を均等とする方法（第１の方法）では、該住宅用換気装置の配置位置が限定され個々に異なる住宅全体の換気システムの設計の自由度が大きく制約される。また、上記第２−１の方法では、換気扇の能力・出力の調節を緻密に変更することは事実上不能であるとともに、該方法は必要換気量を満たす部屋Ａ，Ｂ，Ｃの換気量が必要以上に増大することから、換気扇の消費電力が増大することとも相俟って、熱損失が極めて大きく膨大なランニングコストが必要となる。したがって、この第２−１の方法では、省エナルギー化を大きく阻害する。また、上記第２−２の方法では、省エネルギー化に貢献する方法ではあるが、その反面、上述したダンパ等を適宜操作・調節することによって最終的に各部屋Ａ・・・Ｄの必要換気量と測定値による換気量とを同じ数値とする作業は極めて面倒であり、長時間化は避けられない。すなわち、この第２−２の方法では、例えば、部屋Ａに配置されたダンパ等を操作すると、他の部屋Ｂ，Ｃ，Ｄの各換気量も変化し、それに応じて例えば部屋Ｂの換気量を変更すると、再度部屋Ａの換気量も変化することから、各部屋への移動と測定を何度も繰り返さなければならず、作業者に対して図り知れない労力を強いることとなる。しかも、上記例では、僅かに４つの部屋Ａ・・・Ｄを例に挙げたが、通常の住宅には、上記例よりも多い部屋数を有するのが通常であることを想定すると、その労力やコストは甚大となる。
【０００８】
そこで、本発明は、上述した従来の風量調節方法が有する各種の課題を解決するために提案したものであって、各部屋の必要換気量と実際の換気量とを極めて迅速に調節することができ、省エネルギー化にも十分貢献することができる新規な風量調節装置及びこの風量調節装置を用いた風量調節方法を提供することを目的とするものである。
【課題を解決するための手段】
【０００９】
上述した目的を達成するため、第１の発明（請求項１記載の発明）は、風量調節装置に係るものであって、住宅内部の空気を外部に放出するとともに外気を住宅内部に供給する住宅用換気装置に接続され、外気流入管を介して該住宅用換気装置内に導入した外気を各室内に分割して供給する分岐排出管群のそれぞれに配置される風量調節装置であって、上記分岐排出管群にそれぞれ接続されるダクトと、これらのダクト内に配置され該ダクト内を流通する空気の風量を調節する風量調節手段と、を備え、前記風量調節手段は、円板状に成形されてなる第１のダンパと、この第１のダンパに形成され該第１のダンパが回動される際の軸芯となるとともに先端側は上記ダクトの外部に露出してなる第１の回動軸と、この第１の回動軸に形成された第１の位置決め片と、上記ダクトの外周面に上記第１の回動軸を中心に円弧状に並設されてなるとともに上記第１の位置決め片が係合する第１の係合部と、半円状に成形された第２のダンパと、この第２のダンパに形成され上記第１の回動軸と同一の軸芯を有するとともに先端側は上記ダクトの外側に露出してなる第２の回動軸と、この第２の回動軸に形成された第２の位置決め片と、上記ダクトの外周面に形成され上記第２の位置決め片が係合する第２の係合部と、を備えてなることを特徴とするものである。
【００１０】
なお、上記第１の発明に係る風量調節装置が配置される分岐排出管群は、例えば、住宅用換気装置に取り付けられた分岐チャンバに一端が固定されているものであっても良いし、或いは、一端が上記住宅用換気装置に固定された単一又は複数の分岐ダクトの他端に更に分岐ダクトを固定し、最終的に例えば４〜１０の数とされてなるものであっても良い。また、これら分岐排出管群の数は、特に限定されるものではないが、住宅に設けられた部屋，廊下又はホール等の数、すなわち換気すべき空間の数により適宜決定される。また、この第１の発明においては、上記住宅用換気装置の設置場所は、特に限定されるものではなく、第３の発明（請求項３記載の発明）のように、特定の部屋に配置されていても良いし、天井上（小屋裏）や床下に配置されていても良い。さらに、上記第１の発明を構成するダクトは、内側に空気が流通する流路となる部位が形成されていれば良く、その形状は必ずしも円形（円筒）状以外であっても良いし、単一ではなく、例えば第２の発明（請求項２記載の発明）のように、複数のダクトが結合されてなるものであっても良い。
【００１１】
また、この第１の発明では、上記風量調節手段は、円板状に成形されてなる第１のダンパと、この第１のダンパに形成され該第１のダンパが回動される際の軸芯となるとともに先端側は上記ダクトの外部に露出してなる第１の回動軸と、この第１の回動軸に形成された第１の位置決め片と、上記ダクトの外周面に上記第１の回動軸を中心に円弧状に並設されてなるとともに上記第１の位置決め片が係合する第１の係合部と、半円状に成形された第２のダンパと、この第２のダンパに形成され上記第１の回動軸と同一の軸芯を有するとともに先端側は上記ダクトの外側に露出してなる第２の回動軸と、この第２の回動軸に形成された第２の位置決め片と、上記ダクトの外周面に形成され上記第２の位置決め片が係合する第２の係合部と、を備えてなる必要がある。
【００１２】
こうした風量調節手段によれば、先ず、上記第１の回動軸又は第１の位置決め片を回動操作することにより、ダクト内に配置された第１のダンパが回動し、この第１のダンパの回動の程度によって風量が調節される。なお、第１のダンパの回動位置を位置決めする第１の位置決め片と、この第１の位置決め片が係合する第１の係合部が上記第１の回動軸を中心に円弧状に並設されてなることから、回動した第１のダンパは、この第１の位置決め片と任意の位置の第１の係合片との係合により所定の位置に位置決めされ、空気の流通により回動位置が変化しない。なお、風量調節作業の迅速化を図るために、上記第１の回動軸を中心に円弧状に並設された係合部の近傍に、例えば、「１，２，３・・・」等の数字，「ａ，ｂ，ｃ・・・」又は「イ，ロ，ハ・・・」等の符号を表示した表示用シールを貼付するか、又は刻印しても良い。
【００１３】
さらに、この第１の発明では、上記第１のダンパを回動操作することにより風量が調節されるばかりではなく、この第１のダンパを開放した状態において、上記第２のダンパが回動操作されることにより、さらに風量が調節される。また、上記第２のダンパは、第２の位置決め片と第２の係合部との係合により位置決めがされる。なお、上記第１の回動軸と第２の回動軸とは、互いに軸芯が同一であることを要するが、例えば、第１の回動軸を棒状に成形する一方、第２の回動軸を筒状に形成し、該第２の回動軸に上記第１の回動軸を挿通したものや、逆に、上記第１の回動軸を筒状に成形する一方、上記第２の回動軸を棒状に成形し、この第２の回動軸内に上記第１の回動軸を挿通することにより、互いに軸芯を同一としたものであっても良い。
【００１４】
また、第２の発明（請求項２記載の発明）は、上記第１の発明において、前記ダクトは、前記一方の分岐管部又は開口が形成され前記第１の回動軸又は第２の回動軸が挿通される一方のスリットが形成された第１のダクトと、この第１のダクトの外径よりも大径とされた内径を有するとともに前記他方の分岐管部又は開口が形成され上記第１の回動軸又は第２の回動軸が挿通される他方のスリットが形成された第２のダクトとが接続されてなり、前記第１の係合部及び第２の係合部は、上記第１のダクト又は第２のダクトに形成されてなるとともに、前記第１のダンパ及び第２のダンパは、該第１のダンパを構成する第１の回動軸又は第２のダンパを構成する第２の回動軸が上記一方のスリットと他方のスリットとの両方に挿通されてなるとともに上記第１のダクトと第２のダクトとにより挟持されてなることを特徴とするものである。
【００１５】
なお、上記一方及び他方のスリットは、上記第１の回動軸又は第２の回動軸が挿通される部位であり、上述したように、第１のダンパの（第１の）回動軸を棒状に成形する一方、第２の回動軸を筒状に形成し、該第２の回動軸に上記第１の回動軸を挿通したものである場合には、上記第２の回動軸の外径に対応している必要があり、逆に、上記第１の回動軸を筒状に成形する一方、上記第２の回動軸を棒状に成形し、この第２の回動軸内に上記第１の回動軸を挿通したものである場合には、該第１の回動軸の外径に対応したものであることを要する。
【００１６】
また、第３の発明（請求項３記載の発明）は、前記第１又は２の発明において、前記ダクトには、前記風量調節手段を挟んだ一方側には該ダクト内に連通してなる一方の分岐管部又は開口が形成され、上記風量調節手段を挟んだ他方側には該ダクト内に連通してなる他方の分岐管部又は開口が形成され、上記一方の分岐管部又は開口と、上記他方の分岐管部又は開口とは、一方の接続チューブと他方の接続チューブとを介して微差圧計に接続されてなることを特徴とするものである。
【００１７】
なお、この第３の発明を構成する上記一方及び他方の分岐管部又は開口の形成位置は、微差圧計による計測値の信頼性を高めるため、上記風量調節手段との距離が均等であり、内径が同一であることが好ましい。また、上記風量調節手段を挟んだ両側に形成された各（一方及び他方の）分岐管部又は開口は、上記一方又は他方の接続チューブを接続する接続手段であり、その形状や高さ又は開口面積は特に限定されるものではない。
また、上記微差圧計は、上記一方の接続チューブを介して前記風量調節手段を間に挟んだ一方側のダクト内の圧力と、他方の接続チューブを介して上記風力調節手段を間に挟んだ他方側のダクト内の圧力との双方の圧力値を計測することができる機能を有していれば足りる。なお、この微差圧計には、上記各測定値から、風量を換算する機能を備えているものであることが好ましい。ここで、上記微差圧計により計測された二つの（２点の）計測値の差（Ｐａ）を用いて、風量（Ｑ）を算出する方法について説明すると、先ず、上記二つの計測値の差（圧力差：Ｐａ）を求める。その上で、次式により、風量（Ｑ）を換算する。
【００１８】
【数１】
0004809302.tif 000002
【００１９】
すなわち、この発明に係る風量調節装置を用いて風量を調節する場合には、上記数式１を用いたＫファクタ法を用いる。上記数式１を用いた風量の換算は、例えば計算機やパーソナルコンピュータ等を用いて行っても良いし、上述したように、微差圧計に風量換算機能を備えているものを使用する方法であっても良い。こうした風量換算機能を備えた微差圧計を用い、換算された風量（Ｑ）を目視しながら風量調節手段を適宜操作する方法を採用した場合には、より迅速に風量調節が可能となる。
したがって、この第１の発明に係る風量調節装置では、上記一方及び他方の接続チューブを介して上記微差圧計を接続し、この微差圧計による測定結果に基づいて、適宜上記風量調節手段により風量を調節することにより、ダクト内を流通する風量が最適なものとなるように調節される。
【００２０】
また、第４の発明（請求項４記載の発明）は、前記請求項３記載の風量調節装置による風量調節方法であって、上記風量調節装置に形成された一方の分岐管部又は開口と微差圧計とを一方の接続チューブを介して接続し、該風量調節装置に形成された他方の分岐管部又は開口と上記微差圧計とを他方の接続チューブを介して接続し、上記分岐排出管郡の何れかに配置された特定の風量調節装置を流通する風量を、該微差圧計による計測結果に基づき、該風量調節装置を構成する風量調節手段を操作することにより調節することを特徴とするものである。
【００２１】
この第４の発明に係る風量調節方法では、前述したＫファクタ法を用いるものであり、微差圧計による計測結果により、風量調節手段により風量を調節する工程においては、該微差圧計により測定された圧力差に基づき前記数式１に基づく風量の換算作業を伴うが、該微差圧計が上記圧力差を表示する機能を有している場合には、該圧力差から風量を換算すれば良く、さらに該微差圧計が風量換算機能を有している場合には、該微差圧計に表示された風量に基づいて風量調節手段を手動で調節し、又は自動で調節される。
【００２２】
また、第５の発明（請求項５記載の発明）は、上記第４の発明において、前記請求項４記載の風量調節方法においては、前記請求項１ないし３記載の何れかの風量調節装置を構成する一方の分岐管部又は開口に一端が接続された一方の上流側接続チューブの他端が接続される一方の上流側接続部と、前記請求項１ないし５記載の何れかの風量調節装置を構成する他方の分岐管部又は開口に一端が接続された他方の上流側接続チューブの他端が接続される他方の上流側接続部とが、それぞれ前記分岐排出管群の数に応じて複数形成されてなるとともに、上記一方の上流側接続部に連通してなるとともに一端は前記微差圧計に接続されてなる一方の接続チューブの他端が接続される一方の下流側接続部と、上記他方の上流側接続部に連通してなるとともに一端は前記微差圧計に接続されてなる他方の接続チューブの他端が接続される他方の下流側接続部とが形成されてなる接続アダプタを用い、上記分岐排出管群の数に応じた上記各一方の上流側接続チューブの一端をそれぞれ上記一方の分岐管部又は開口に接続するとともに、各一方の上流側接続チューブの他端を上記一方の上流側接続部に接続し、上記分岐排出管群の数に応じた上記各他方の上流側接続チューブの一端をそれぞれ上記他方の分岐管部又は開口に接続するとともに、各他方の上流側接続チューブの他端を上記他方の上流側接続部に接続し、一端が上記微差圧計に接続された一方の接続チューブの他端を、上記複数形成された一方の下流側接続部の内の何れかに接続するとともに、一端が該微差圧計に接続された他方の接続チューブを、上記一方の接続チューブを介して連通した特定の風量調節装置を構成する他方の分岐管部又は開口との対応関係を有する特定の他方の下流側接続部に接続し、上記分岐排出管郡の何れかに配置された特定の風量調節装置を流通する風量を、該微差圧計による計測結果に基づき、該風量調節装置を構成するダンパを操作することにより調節することを特徴とするものである。
【００２３】
この第５の発明に係る風量調節方法で使用する接続アダプタは、一方の上流側接続部と、他方の上流側接続部と、上記一方の上流側接続部に連通してなる一方の下流側接続部と、上記他方の上流側接続部に連通してなる他方の下流側接続部とが形成されている。互いに連通した上記一方の上流側接続部と一方の下流側接続部と、互いに連通した他方の上流側接続部と他方の下流側接続部との数は、分岐排出管群の数に対応したものとされている。そして、上記一方の上流側接続部のそれぞれは、一方の上流側接続チューブの他端が接続される部位であり、上記他方の上流側接続部のそれぞれは、他方の上流側接続チューブが接続される部位である。また、上記一方の上流側接続チューブの一端は、それぞれ上記一方の分岐管部又は開口に接続される部位であり、他方の上流側接続チューブの一端は、それぞれ上記他方の分岐管部又は開口に接続される部位である。また、上記一方の下流側接続部のそれぞれは、一方の下流側接続チューブの他端が選択的に接続される部位であり、上記他方の下流側接続部のそれぞれは、他方の下流側接続チューブが選択的に接続される部位である。但し、この他方の下流側接続チューブが接続される他方の下流側接続部は、上記一方の下流側接続チューブの他端が接続された特定の一方の下流側接続部に対応したものである必要がある。そして、上記一方の下流側接続チューブ及び他方の下流側接続チューブは、それぞれ微差圧計と接続アダプタとを接続する部材である。
【００２４】
なお、上記接続アダプタは、上述したように、一方の上流側接続部と、他方の上流側接続部と、上記一方の上流側接続部に連通してなる一方の下流側接続部と、上記他方の上流側接続部に連通してなる他方の下流側接続部とが、少なくとも分岐排出管群に対応した数で形成されていれば、樹脂により一体成形されているものであって良いし、一端は上記一方の上流側接続部となり他端は上記他方の下流側接続部となる金属管が、分岐排出管郡の数に対応して設けられているものであっても良い。
【００２５】
また、第６の発明（請求項６記載の発明）は、上記第５の発明において、前記接続アダプタを構成する一方の上流側接続部と他方の上流側接続部とは、それぞれ交互に且つ直線状に形成されてなることを特徴とするものである。
【００２６】
この第６の発明では、前記一方の上流側接続部と他方の上流側接続部とは、それぞれ交互に且つ直線状に形成されてなることから、上記一方の上流側接続部に連通する一方の下流側接続部と、上記他方の上流側接続部に連通する他方の下流側接続部も、それぞれ交互に且つ直線状に形成されている。したがって、こうした接続アダプタを用いて特定の分岐排出管に配置された風量調節装置により風量を調節する場合には、一方の上流側接続チューブと他方の上流側接続チューブとをそれぞれ並べて接続することができ、また、この接続アダプタと微差圧計とを接続する一方の下流側接続チューブ及び他方の下流側接続チューブもそれぞれ並べて接続することができる。
【発明の効果】
【００２７】
上記第１の発明（請求項１記載の発明）に係る風量調節装置は、先ず、住宅用換気装置内に導入した外気を各室内に分割して供給する分岐排出管群のそれぞれに配置されるものであり、各部屋に配置されるものではないことから、該風量調節装置による風量調節作業は、一箇所において操作することができる。したがって、本発明によれば、極めて簡単且つ迅速に各部屋の風量を調節することができる。
【００２８】
また、この第１の発明によれば、第１の回動軸又は第１の位置決め部を回動操作することにより、風量調節手段である第１のダンパを回動操作することが可能となるとともに、回動操作された第１のダンパは、第１の位置決め片と第１の係合部との係合によりその位置が保持されることから、住宅用換気装置からの風圧により風量が変更されることがない。なお、上記係合部の数が多い場合には、さらに緻密な風量調節が可能となる。さらに、この風量調節装置では、上記第１のダンパを回動操作することにより風量を調節することができるばかりではなく、この第１のダンパを全部又は一部開放した状態において、上記第２のダンパを回動操作することにより、さらに緻密に風量を調節することができる。特に、上記第１のダンパが全開の状態と、この全開の状態から４０度回転した状態までの範囲では、該第１のダンパを多少回動操作しても風量の調節には影響されない（風量調節が極めて困難である）ことから、上記第２のダンパを構成要素とすることにより、上記範囲内においては極めて緻密に風量を調節することができる。また、上記第２のダンパは、第２の位置決め片と第２の係合部との係合により位置決めがされることから、住宅用換気装置からの風圧により風量が変更されることがない。
【００２９】
第２の発明（請求項２記載の発明）に係る風量調節装置では、ダクトは第１及び第２のダクトが接続されてなるものであるとともに、第１及び第２のダンパは、これら第１のダクトと第２のダクトに形成されたスリット（第１及び第２のスリット）に挿通され、該第１のダクトと第２のダクトにより挟持されてなることから、ダクトの製造も簡単となり容易に組み立てることが可能となるとともに、メンテナンス作業も簡単なものとなる。
【００３０】
第３の発明（請求項３記載の発明）に係る風量調節装置では、一方及び他方の接続チューブの一端を接続する一方及び他方の分岐管部又は開口が形成されており、該一方及び他方の接続チューブを介して、Ｋファクタ法による風量を換算するために必要とされる圧力差を計測する微差圧計と接続されていることから、より正確に風力を測定することができ、この結果、各部屋に供給されるべき空気の量（風量）を最適なものに調節することが可能となる。
【００３１】
第４の発明（請求項４記載の発明）に係る風量調節方法によれば、請求項１記載の発明と同じように、極めて簡単且つ迅速に各部屋の風量を調節することができるとともに、各部屋に供給されるべき空気の量（風量）を最適なものに調節することが可能となる。
【００３２】
第５の発明（請求項５記載の発明）に係る風量調節方法によれば、接続アダプタを介して各風量調節装置と微差圧計とを互いに接続した上で、各風量調節装置を流通する風量を調節するものであることから、個々の風量調節装置毎に一方及び他方の上流側接続チューブを接続し直す必要性がないことから、より一層簡便に風量調節の作業を行うことができる。
【００３３】
第６の発明（請求項６記載の発明）に係る風量調節方法によれば、一方の上流側接続チューブと他方の上流側接続チューブとをそれぞれ交互に並べて接続することができ、また、この接続アダプタと微差圧計とを接続する一方の下流側接続チューブ及び他方の下流側接続チューブもそれぞれ並べて接続することができることから、計測ミスや該計測ミスに基づいて誤って風量調節がされる危険性も防止することができる。
【発明を実施するための最良の形態】
【００３４】
以下、本発明を実施するための最良の形態に係る風量調節装置を、図面を参照しながら詳細且つ具体的に説明する。なお、この実施の形態に係る風量調節装置は、住宅用換気システムを構成する住宅用換気装置に接続された各分岐排出管群のそれぞれに配置されるものである。そこで、以下、この住宅用換気システムや住宅用換気装置について説明しながら、本発明に係る風量調節装置について説明する。
【００３５】
この住宅用換気システムは、図１に示すように、二階建ての住宅１の二階に住宅用換気装置２が配置されている。この住宅用換気装置２は、二階に設けられたクローゼット３に図示しない吊り下げ具により二階の天井４から吊り下げられてなるものであり、このクローゼット３は、部屋と部屋とを区画する第１の壁面５と、外壁６（図３参照）と、上記第１の壁面５と対向する第２の壁面７と、上記第１の壁面５と直行するとともに開閉自在となされた開閉扉８とから構成された空間であり、該住宅用換気装置２の正面は、この開閉扉８と対向している。そして、この住宅用換気装置２は、図２の（Ａ）〜（Ｄ）に示すように、略直方体状に成形され正面に開口（符号は省略する。）を有してなる筐体１０と、この筐体１０に取り外し可能に装着され上記開口の上部側を閉塞する第１の前面カバー１１と、この第１の前面カバー１１の下側に取外し可能に装着され上記開口を閉塞する第２の前面カバー１２とを備えている。そして、上記第１の前面カバー１１の正面には、この住宅用換気装置２のオンオフ操作や換気量等を電気的に制御・調節するリモートコントローラ１３が配置されている。また、上記第２の前面カバー１２の下側中途部には、横長の開口（符号は省略する。）が形成され、この開口はメンテナンスカバー１４が開閉自在に配置されている。また、上記筐体１０内であって上記第２の前面カバー１２の背面側には、上下に第１及び第２の熱交換用エレメント（熱交換素子）１５，１６が配置されている。これら第１及び第２の熱交換用エレメント１５，１６は、後述するように、住宅１の外側から流入した外気と、住宅１内から外に排出する空気との間で熱交換する素子である。そして、上記第２の熱交換用エレメント１６の下側には、エアフィルタ１７が配置されている。このエアフィルタ１７は、住宅１の外側から流入した外気を上記第２の熱交換用エレメント１６の下側に到る手前において除塵するものであり、上記住宅用換気装置２の正面に設けられたメンテナンスカバー１４を開放することにより着脱可能とされている。
【００３６】
また、上記住宅用換気装置２の筐体１０を構成する天板１９には、図示しない第１ないし第４の開口が形成され、図２の（Ｄ）に示すように、これら第１ないし第４の開口には、第１ないし第４の管体２０・・・２３が固定されている。そして、上記第１の管体２０は、住宅１外の空気（外気）がこの住宅用換気装置２内に流入する外気流入口（OＡ）であり、この第１の管体２０の手前に固定されている第２の管体２１は、住宅１内の空気をこの住宅用換気装置２内に流入させる室内空気流入口（ＲＡ）である。また、この第２の管体２１の右側に配置されている第３の管体２２は、上記第１の管体２０から住宅用換気装置２内に流入した空気を室内に供給する室内空気供給口（ＳＡ）である。また、この第３の管体２２の後方に配置されている第４の管体２３は、上記第２の管体２１から住宅用換気装置２内に流入した空気を室外に流出させる室内空気流出口（ＥＡ）である。そして、上記第３の管体２２の下側であって上記筐体１０内には、図２の（Ｃ）に示すように、給気用送風機２５が配置され、上記第４の管体２３の下方には、排気用送風機２６が固定されている。また、上記筐体１０内には、上記第１の管体（外気流入口：OＡ）２０から上記エアフィルタ１７の下側に亘って図示しない第１の外気流路が形成され、またエアフィルタ１７から第２の熱交換用エレメント１６の下面までにおいても図示しない第２の外気流路が形成されている。また、上記第２の熱交換用エレメント１６内には垂直方向に図示しない第１の熱交換流路が形成され、第１の熱交換エレメント１５内にも垂直方向に図示しない第２の熱交換流路が形成されている。上記第１の熱交換流路と第２の熱交換流路とは互いに接続され、この第２の熱交換流路は、上記第３の管体（室内空気供給口：ＳＡ）に接続されている。一方、上記第２の管体（室内空気流入口：ＲＡ）２１から上記第１の熱交換用エレメント１５の一側面までには、図示しない第１の室内空気流路が形成され、この第１の室内空気流路は該第１の熱交換用エレメント１５内に水平方向に形成された図示しない第３の熱交換流路に接続されている。また、上記第１の熱交換エレメント１５の他側面と第２の熱交換用エレメント１６の他側面とは、図示しない第２の室内空気流路により接続され、この第２の熱交換エレメント内には水平方向に第４の熱交換流路が形成されている。そして、この第４の熱交換流路は、上記第４の管体（室内空気流出口：ＥＡ）２３に接続されている。
【００３７】
そして、上記第１の管体（外気流入口：OＡ）２０には、図３に示すように、外気流入管２７の一端が接続され、この外気流入管２７の他端は、上記外壁６に形成された管取付穴（符号は省略する。）に挿通され屋外に臨まされている。また、上記第２の管体（室内空気流入口：ＲＡ）２１には、この住宅１内に設けられた図示しないホールの天井に接続された室内空気吸込管２８の一端が接続されている。この室内空気吸込管２８の他端は、上記ホールの天井に固定され、後述するように上記排気用送風機２６が駆動すると、ホール内の空気はこの室内空気吸込管２８の他端から吸い込まれ、上記住宅用換気装置２内に流入する。また、上記第３の管体（室内空気供給口：ＳＡ）には、後述する分岐チャンバ３２が接続され、この分岐チャンバ３２には、間に後述する風量調節装置４５を介して、各室内に空気を分割して供給するが接続されている。また、第４の管体（室内空気流出口：ＥＡ）２３には、室内空気排気管３３の一端が接続されている。この室内空気排気管３３の他端は、外壁６に形成された管取付穴（符号は省略する。）に挿通され屋外に臨まされている。なお、上記外気流入管２７の他端と上記室内空気排気管３３の他端とは、上下に固定されてなるとともに外壁６の外側面に固定された屋外フード３４により覆われている。
【００３８】
すなわち、この住宅用換気装置２は、図４に模式的に示すように、上記給気用送風機２５と排気用送風機２６とが駆動すると、外気が上記外気流入管２７の他端側から上記第１の管体（外気流入口：OＡ）２０を介して該住宅用換気装置２内に流入し、図２に示すエアフィルタ１７の下側から第２及び第１の熱交換エレメント１６，１５内に形成された図示しない第１及び第２の熱交換流路を通過し、第３の管体（室内空気供給口：ＳＡ）２２を介して後述する分岐チャンバ内に到り、この分岐チャンバ３２から上記後述する風量調節装置４５を通過して分岐排出管２９，３０，３１・・・の他端側から各室内に給気される。一方、上記室内空気吸込管２８からは図示しないホール内の空気が流入し、上記第２の管体（室内空気流入口：ＲＡ）２１を介して住宅用換気装置２内に流入し、上記第１の熱交換エレメント１５に形成された第３の熱交換流路及び第２の熱交換エレメント１６に形成された第４の熱交換流路を通過し、上記第４の管体（室内空気流出口：ＥＡ）２３を介して上記室内空気排気管３３の他端側から屋外に排出される。
【００３９】
次に、上記分岐チャンバ３２について説明する。この分岐チャンバ３２は、図５に示すように、上記第３の管体（室内空気供給口：ＳＡ）２２の外径とほぼ同じ内径となされた筒部３２ａと、この筒部３２ａの上端から容積が拡張され上端は方形状の天板３２ｂ（図６参照）により閉塞された拡張部３２ｃとを備えている。そして、上記天板３２ｂには、図示しない第１ないし第９の開口が形成され、該第１ないし第９の開口には第１ないし第９の円筒部材３５・・・４３の基端が固定されている。そして、上記第１ないし第９の円筒部材３５・・・４３の先端には、それぞれ本発明を構成する風量調節装置４５が取り付けられ、これらの風量調節装置４５の上端には、図４に示す分岐排出管２９，３０，３１・・・の一端が接続されている。なお、上記分岐排出管２９，３０，３１・・・は、本発明を構成する分岐排出管群である。そこで、以下、本発明の実施の形態に係る上記風量調節装置４５について詳細に説明する。
【００４０】
この風量調節装置４５は、図７，図８又は図１１に示すように、第１のダクト４６と、この第１のダクト４６に接続される第２のダクト４７と、これら第１及び第２のダクト４６，４７内を流通する空気の風量を変更調節する第１のダンパ４８及び第２のダンパ４９とから構成されている。上記第１のダクト４６は、樹脂により略一体成形されてなるものであり、一端は図６に示す上記第１ないし第９の円筒部材３５・・・４３に接続される部位である。また、この第１のダクト４６の他端には、該第１のダクト４６の中心を間に介して第１のスリット４６ａと第２のスリット４６ｂとが形成されている。なお、これら第１及び第２のスリット４６ａ，４６ｂは、本発明を構成する一方のスリットであり、それぞれの長さ及び幅は互いに同一とされている。また、上記第１のスリット４６ａの形成位置よりやや一端側には、この第１のダクト４６内と連通してなる一方の分岐管部４６ｃが起立されている。また、この一方の分岐管部４６ｃの形成位置より該第１のダクト４６のやや他端側には、第２のダクト４７の一端が当接する第１の拡径部４６ｄがリング状に形成されている。また、上記一方の分岐管部４６ｃの形成位置の近傍からこの第１のダクト４６の一端側には、第２ないし第４の拡径部４６ｅ・・・４６ｇがリング状に形成されている。また、この第１のダクト４６の外周面であって、上記第１の拡径部４６ｄの形成位置よりも該第１のダクト４６の他端側には、係止爪４６ｈが形成されている。
【００４１】
また、上記第２のダクト４７は、上記第１のダクト４６と同じ素材により一体形成されてなるものであって、一端側は、上記第１のダクト４６の他端側が内部に挿通される部位であり、該一端には、該第２のダクト４７の中心を間に介して第３のスリット４７ａと第４のスリット４７ｂとが形成されている。これら第３及び第４のスリット４７ａ，４７ｂはそれぞれ本発明を構成する一方のスリットであり、それぞれの幅は、上記第１及び第２のスリット４６ａ，４６ｂと同一とされ、該第３及び第４のスリット４７ａ，４７ｂの長さは、上記第１及び第２のスリット４６ａ，４６ｂよりも長尺とされている。また、この第２のダクト４７には、上記第３のスリット４７ａと第４のスリット４７ｂとの間に、互いに同一の長さ及び幅となされた第５及び第６のスリット４７ｃ，４７ｄが形成され、これら第５のスリット４７ｃと第６のスリット４７ｄとの間は弾性片４７ｅとされている。そして、この弾性片４７ｅには（上記第５のスリット４７ｃと第６のスリット４７ｄとの間には）、上記第１のダクト４６に形成された係止爪４６ｈが係止される係止穴４７ｆが形成されている。また、この第２のダクト４７の他端側中途部の外周面には、第５の拡径部４７ｇが形成されており、この第５の拡径部４７ｇと上記第３のスリット４７ａとの間には、他方の分岐管部４７ｈと、上部側係合部４７ｉが複数形成され、さらに、この第２のダクト４７の内周面であって上記第５の拡径部４７ｇの形成位置に対応した位置には、縮径部４７ｊが形成されている。上記他方の分岐管部４７ｈは、上記一方のダクト４６に形成された一方の分岐管部４６ｃと同一形状に成形されてなるとともに、図８に示すように、上記第１及び第２のダクト４６，４７とにより後述する第１及び第２のダンパ４８，４９を組み付けた際における（後述する）該第１及び第２のダンパ４８，４９の（第１及び第２の）回動軸との距離が、互いに同一とされている。すなわち、上記第１及び第２のダンパ４８，４９の（第１及び第２の）回動軸から上記一方の分岐管部４６ｃまでの距離と、該回動軸から上記他方の分岐管部４７ｈまでの距離とは、互いに同じ距離とされている。また、上記上部側係合部４７ｉは、それぞれ第２のダクト４７の外周面から起立してなるとともに、上記第４のスリット４７ｂの端部を中心にそれぞれ放射方向に長さを有する複数の上部側係合部（符号は省略する。）からなるとともに、各上部側係合部は該第４のスリット４７ｂの端部を中心とした円弧を描くように数度ずつずれた状態で並列されている。なお、これら上部側係合部４７ｉは、本発明を構成する第１の係合部である。また、これら上部側係合部４７ｉは、後述する第１のダンパ４８を構成する第１の位置決め片４８ｃが選択的に係合する部位であり、上記複数の上部側係合部の中で該第１のダンパ４８が最も開放された位置（第１及び第２のダクト４６，４７内で最も空気が流通する状態）に対応する上部側ストッパー片４７ｋは、第２のダクト４７の外周面からの高さが他の上部側係合部よりも高いものとされ、上記第１の位置決め片４８ｃがこの上部側ストッパー片４７ｋの形成位置よりも更に回動できないようにされている。また、この他方のダクト４７の外周面であって該他方のダクト４７の一端近傍には、後述する第２のダンパ４９を構成する第２の位置決め片４９ｄが係合する複数の下部側係合部４７ｌ，４７ｍ，４７ｎが形成され、この下部側係合部４７ｎの図１２中右側には、上記下部側係合部４７ｌ，４７ｍ，４７ｎよりも第２のダクト４７の外周面からの高さが高い下部側ストッパー片４７ｏ（図１２参照）が形成されている。
【００４２】
また、上記第１のダンパ４８は、樹脂により一体成形されてなるものであって、図９に示すように、円板状に成形された第１のダンパ本体部４８ａと、この第１のダンパ本体部４８ａの上端から起立してなる第１の上部回動軸部４８ｂと、この第１の上部回動軸部４８ｂの上端から該第１の上部回動軸部４８ｂの長さ方向と直行する方向に延設されてなる第１の位置決め片４８ｃと、上記第１のダンパ本体部４８ａの下端であって上記第１の上部回動軸部４８ｂの延長線上に位置する第１の下部回動軸部４８ｄとから構成されている。なお、上記第１の上部回動軸部４８ｂは、本発明を構成する第１の回動軸である。一方、上記第２のダンパ４９は、上記第１のダンパ４８と同一の樹脂により一体成形されてなるものであって、図１０に示すように、リング状に成形された枠部４９ａと、この枠部４９ａの約半分を閉塞し略半円状に成形された第２のダンパ本体部４９ｂと、上記枠部４９ａの上端から起立してなる第２の上部回動軸部４９ｃと、この第２の上部回動軸部４９ｃの側部から該第２の上部回動軸部４９ｃの長さ方向と直行する方向に延設された第２の位置決め片４９ｄと、上記枠部４９ａの下端であって上記第２の上部回動軸部４９ｃの延長線上に位置する第２の下部回動軸部４９ｅとから構成されている。そして、上記枠部４９ａは、上記第１のダンパ本体部４８ａの厚さとほぼ同じ長さを有する筒状に成形されている。また、上記第２の上部回動軸部４９ｃは、本発明を構成する第２の回動軸であり、本実施の形態においては、内部に上記第１の上部回動軸部４８ｂが回動自在に挿通されるよう筒状に成形されているとともに、該第１の上部回動軸部４８ｂを側方から圧入された際に通過する圧入用開口４９ｆが形成されている。また、上記第２の下部回動軸部４９ｅは、円筒状に成形され、上記第１の下部回動軸部４８ｄを上方から挿入できるように構成されている。
【００４３】
このように構成された上記第１のダンパ４８及び第２のダンパ４９は、図７に示すように、一体的になるよう組み付けられている。すなわち、上記第１のダンパ４８は、上記第２のダンパ４９とは別個に（図１２に示すように時計回り方向に）回動可能とされてなるとともに、後述するように、この第１のダンパ４８が回動され上記第１及び第２のダクト４６，４７内に形成された空気の流路が解放された際、上記第２のダンパ４９は第１のダンパ４８とは別個に回動可能となる。そして、上記第１のダンパ４８と第２のダンパ４９とは、上述したように、第１の上部回動軸部４８ｂが第２の上部回動軸部４９ｃ内に挿通され、第１の下部回動軸部４８ｄが第２の下部回動軸部４９ｅ内に挿入された状態で一体化されてなることから、第１及び第２の上部回動軸部４８ｂ，４９ｃは同一の軸心となっており、上記第１及び第２の下部回動軸４８ｄ，４９ｅも同一の軸心となっている。
【００４４】
そして、上述したように構成された第１及び第２のダンパ４８，４９は、上記第１のダクト４６及び第２のダクト４７に対して、図８及び図１１に示すように、組み付けられている。すなわち、図７に示す第２の上部回動軸部４９ｃが、上記第１のスリット４６ａ内と上記第３のスリット４７ａ内に挿通されてなるとともに、該第１及び第３のスリット４６ａ，４７ａの閉塞側端部にて挟まれ、同時に上記第２の下部回動軸部４９ｅが、上記第２のスリット４６ｂ内と上記第４のスリット４７ｂ内に挿通されてなるとともに該第２及び第４のスリット４６ｂ，４７ｂの閉塞側端部にて挟まれた状態で組み付けられている。そして、上記第１の上部回動軸４８ｂ及び第２の上部回動軸４９ｃは、何れも上記一方及び他方のダクト４６，４７の外部に露出されている。また、上記弾性片４７ｅに形成された係止穴４７ｆ内に上記係止爪４６ｈが係止され、第２のダクト４７から第１のダクト４６が脱落しないようにされている。
【００４５】
そして、このように組み付けられた風量調節装置４５においては、上記第１の位置決め片４８ｃの回動操作により、上記第１のダンパ本体部４８ａの向きを約９０度の範囲に亘って回動操作することができ、また、第２のダンパ本体４９ａも約９０度に亘って回動調節することができる。すなわち、図１２の（Ａ）に示すように、上記第１の位置決め片４８ｃが最も同図中左側の上部側係合部４７ｉとその右側の上部側係合部４７ｉとの間に係合されており、第２の位置決め片４９ｄが同図中最も左側の下部側係合部４７ｌとその右側に形成されたに下部側係合部４７ｍとの間に係合されている状態においては、第１のダンパ本体部４８ａは、第２のダンパ４９を構成する枠部４９ａ内に位置してなるとともに、上記流路は完全に閉塞された状態となる。また、この図１２の（Ａ）に示す状態から、上記第１の位置決め片４８ｃのみを時計回り方向に４５度回動操作すると、第１のダンパ本体部４８ａが回動し、図１１及び図１２の（Ｂ）にそれぞれ示す状態となり、空気の流通が可能な状態となる。そして、この図１２の（Ｂ）に示す状態（第１の位置決め片４８ｃにより上記流路が解放された状態）において、例えば、上記第２の位置決め片４９ｄを略９０度反時計回り方向に回動操作し、図１２中最も右側に形成された下部側係合部４７ｏとその左側に形成された下部側係合部４７ｎとの間に位置させると、図１２の（Ｃ）に示すように、第２のダンパ本体部４９ｂは、上記流路内の空気の流れる方向と同じ方向に位置し、さらに風量が増加する。
【００４６】
なお、この実施の形態においては、上述した通り、風量調節装置４５を構成する第２のダンパ４９は、図１２中反時計回り方向に回動操作する方式を採用しているが、図１３に示すように、この第２のダンパ４９も上記第１のダンパ４８のように、時計回り方向に回動操作する方式を採用するとともに、上記第２の位置決め片４９ｄの位置を９０度反時計回り方向に位置変更し、さらに下部側係合部の数を増加させたもの（下部側係合部４７ｌ・・・４７ｒと、部側ストッパー片４７ｓ）であっても良い。こうした変形例に係る風量調節装置４５によれば、図１３の（Ａ）に示すように、第１のダンパ本体部４８ａと第２のダンパ本体部４９ｄとにより完全に空気の流路が閉塞された状態から、図１３の（Ｂ）に示すように、第１の位置決め片４８ｃを例えば９０度時計回り方向に回動させることにより上記流路が解放される。この状態において、上記第２の位置決め片４９ｄを時計回り方向に回動操作すると、さらに流路内で流通する空気量が増加し、また、図１３の（Ａ）に示す状態から、上記第１及び第２の位置決め片４８ｃ，４９ｄをそれぞれ時計回り方向９０度回動操作すると、図１３の（Ｃ）に示すように、流路内を流通する空気量が最大となる。
【００４７】
そして、このように構成された上気風量調節装置４５は、図１４に示すように、上記第１のダクト４６の一端（下端）が上記第１ないし第９の円筒部材３５・・・４３の上端に接続され、各風量調節装置４５を構成する第２のダクト４７の他端（上端）は、図３に示す分岐排出管群２９，３０，３１・・・・・・に接続されており、さらに、各風量調節装置４５は、後述する各接続チューブと接続アダプタ５０を介して微差圧計５１に接続されている。上記接続アダプタ５０は、樹脂により長尺な直方体状に一体成形されてなるものであり、図１４及び図１５に示すように、上面には、一方の上流側接続管部５０ａと一方の下流側接続管部５０ｂとが、該接続アダプタ５０の長さ方向に交互且つ直線状並んで形成されている。すなわち、上記一方の上流側接続管部５０ａと一方の下流側接続管部５０ｂとは、それぞれ９個設けられている。なお、一方の上流側接続管部５０ａと一方の下流側接続管部５０ｂとはそれぞれ同一の形状とされている。そして、上記一方の上流側接続管部５０ａは、一端が上記風量調節装置４５を構成する一方の分岐管部４６ｃに一端が接続された一方の上流側接続チューブ５４の他端が接続されてなる部位である。また、上記一方の下流側接続管部５０ｂは、一端が上記風量調節装置４５を構成する他方の分岐管部４７ｈに一端が接続された一方の下流側接続チューブ５５の他端が接続されてなる部位である。すなわち、上記第１ないし第９の円筒部材３５・・・４３と、分岐排出管群２９，３０，３１・・・・・・との間に接続された全部で９個の風量調節装置４５と上記接続アダプタ５０とは、それぞれ上記一方の上流側接続チューブ５４と一方の下流側接続チューブ５５を介して接続されている。また、この接続アダプタ５０の正面には、他方の上流側接続穴部５０ｃと他方の下流側接続穴部５０ｄとが、該接続アダプタ５０の長さ方向に交互に形成されている。上記他方の上流側接続穴部５０ｃと他方の下流側接続穴部５０ｄとは、それぞれ９個設けられてなるとともに、他方の上流側接続穴部５０ｃと他方の下流側接続穴部５０ｄとは同一の形状とされている。そして、上記各他方の上流側接続穴部５０ｃと上記各一方の上流側接続管部５０ａとは該接続アダプタ５０の内部において互いに連通している。また、上記各他方の下流側接続穴部５０ｄと上記各一方の下流側接続管部５０ｂとは該接続アダプタ５０の内部において互いに連通している。
【００４８】
また、上記微差圧計５１は、上記各風量調節装置４５を構成する上記第１及び第２のダンパ４８，４９の下側の圧力と該第１及び第２のダンパ４８，４９の上側の圧力との双方の計測値を測定することができる機能を有してなるものであり、この実施の形態に係る微差圧計５１では、上記各測定値から、風量調節装置４５内の風量を換算する機能を備えてなるものである。すなわち、この微差圧計５１の正面には、上記二つの測定値と風量とが表示される表示部５１ａ及び図示しない操作部が設けられ、上部の左側には、左接続部５１ｂが形成され右側には右接続部５１ｃが設けられている。上記左接続部５１ｂは、一方の接続チューブ５２の一端が接続されている部位であり、上記右接続部５１ｃは、他方の接続チューブ５３の一端が接続されている部位である。そして、この実施の形態では、上記一方の接続チューブ５２の他端と他方の接続チューブ５３の他端とには、コネクタ５７が接続され、このコネクタ５７を介して上記接続アダプタ５０に接続されている。このコネクタ５７は、一方のパイプ部５４ａと、この一方のパイプ部５４ａと平行に固定された他方のパイプ部５４ｂと、これら一方及び他方のパイプ部５４ａ，５４ｂを固定してなる固定部材５４ｃとから構成されている。そして、上記一方の接続チューブ５２の他端は、上記一方のパイプ部５４ａの一端に接続され、上記他方の接続チューブ５３の他端は上記他方のパイプ部５４ｃの一端に接続されている。そして、上記一方のパイプ部５４ａの他端は、上記接続アダプタ５０の正面に複数形成された他方の上流側接続穴部５０ｃの何れかに圧入される部位であり、上記他方のパイプ部５４ｂの他端は、上記一方のパイプ部５４ａが圧入された他方の上流側接続穴部５０ｃの隣に形成された他方の下流側接続穴部５０ｄに圧入される部位である。
【００４９】
したがって、上記微差圧計５１により、例えば上記第１の円筒部材３６の上端に接続された風量調節装置４５内の風量を測定する場合には、作業者は上記コネクタ５７を手指で把持しながら、該コネクタ５７を構成する一方のパイプ部５４ａの他端を上記接続アダプタ５０の正面に形成された他方の上流側接続穴部５０ｃ内に圧入するとともに、他方のパイプ部５４ｂの他端を他方の下流側接続穴部５０ｄ内に圧入する。こうした接続操作により、上記風量調節装置４５内の風量が測定される。このとき、この風量調節装置４５内の風量が所定値に満たない場合又は所定値を上回る場合には、上記微差圧計５１の表示部５１ａに表示された測定値（風量値）を目視しながら、クローゼット３内に露出している上記第１の位置決め片４８ｃ及び／又は第２の位置決め片４９ｄをそれぞれ時計回り方向又は反時計回り方向に回動操作し、上記第１のダンパ本体部４８ａ又は第２のダンパ本体４９ｂを回動させ、内部の流路を流通する空気を適宜調節することにより、上記測定値が所定値（必要換気量）となるように調節する。そして、こうした特定の風量調節装置４５の調節作業が終了すると、次いで、他の風量調節装置４５の調節作業を行う。この場合には、それまで接続されていた上記コネクタ５７を、該他の風量調節装置４５に対応した他方の上流側接続穴５０ｃ及び他方の下流側接続穴５０ｄに接続し、上記要領にて該他の風量調節装置４５の風量調節作業を行う。そして、こうした各風量調節装置４５の風量調節作業により、各部屋の必要換気量と実際の換気量とが同じものとなる。
【００５０】
すなわち、上述した実施の形態に係る風量調節装置４５は、住宅用換気装置２内に導入した外気を各室内に分割して供給する分岐排出管２９，３０，３１・・・のそれぞれに配置されるものであり、各部屋に配置されるものではないことから、該風量調節装置４５による風量調節作業は、一箇所において操作することができる。したがって、こうした風量調節装置４５によれば、極めて簡単且つ迅速に各部屋の風量を調節することができる。また、この風量調節装置４５では、一方の上流側接続チューブ５４の一端を接続する一方の分岐管部４６ｃが形成されているとともに、一方の下流側接続チューブ５５の一端を接続する他方の分岐管部４７ｈが形成されており、上述した接続アダプタ５０と、一方及び他方の接続チューブ５２，５３を介して、Ｋファクタ法による風量を換算するために必要とされる圧力差を計測する微差圧計５１と接続できる構造を備えていることから、より正確に風力を測定することができ、この結果、各部屋に供給されるべき空気の量（風量）を最適なものに調節することが可能となる。また、この実施の形態に係る風量調節装置４５によれば、本発明を構成する第１の位置決め片４８ｃを回動操作することにより、風量調節手段である第１のダンパ４８を回動操作することが可能となるとともに、回動操作された第１のダンパ４８は、第１の位置決め片４８ｃと第１の係合部である上部側係合部４７ｉとの係合によりその位置が保持されることから、住宅用換気装置２からの風圧により風量が変更されることがない。さらに、この風量調節装置４５では、上記第１のダンパ４８を回動操作することにより風量を調節することができるばかりではなく、この第１のダンパ４８を全部又は一部開放した状態において、上記第２のダンパ４９を回動操作することにより、さらに緻密に風量を調節することができる。特に、上記第１のダンパ４８が全開の状態と、この全開の状態から４０度回転した状態までの範囲では、該第１のダンパ４８を多少回動操作しても風量の調節には影響されない（風量調節が極めて困難である）ことから、上記第２のダンパ４９を構成要素とすることにより、上記範囲内においては極めて緻密に風量を調節することができる。また、この第２の位置決め片４９ｄを回動操作することにより、風量調節手段である第２のダンパ４９を回動操作することが可能となるとともに、回動操作された第２のダンパ４９は、第２の位置決め片４９ｄと第２の係合部である下部側係合部４７ｌ，４７ｍ，４７ｎとの係合によりその位置が保持されることから、住宅用換気装置２からの風圧により風量が変更されることがない。
【００５１】
さらに、この風量調節装置４５では、ダクトは第１及び第２のダクト４６，４７が接続されてなるものであるとともに、第１及び第２のダンパ４８，４９は、これら第１のダクト４６と第２のダクト４７に形成された各スリット（第１ないし第４のスリット４６ａ，４６ｂ，４７ａ，４７ｂ）に挿通され、該第１のダクト４６と第２のダクト４７により挟持されてなることから、ダクトの製造も簡単となり容易に組み立てることが可能となるとともに、メンテナンス作業も簡単なものとなる。また、上記風量調節装置４５では、住宅用換気装置２は、住宅に形成されたクローゼット３に配置されてなるとともに、前記第１及び第２のダクト４６，４７は、このクローゼット３内において露出され、天井上（小屋裏）や床下に配置されてなるものではないことから、一層簡単且つ迅速に風量を調節することができる。また、上述した風量調節方法では、接続アダプタ５０を介して各風量調節装置４５と微差圧計５１とを互いに接続した上で、各風量調節装置４５を流通する風量を調節するものであることから、個々の風量調節装置４５毎に微差圧計５１を接続チューブを接続し直す必要性がないことから、より一層簡便に風量調節の作業を行うことができる。しかも、上記実施の形態において説明した接続アダプタ５０を使用した風量調節方法によれば、一方の上流側接続チューブ５４と他方の上流側接続チューブ５５とをそれぞれ交互に並べて接続することができ、また、この接続アダプタ５０と微差圧計５１とを接続する一方の接続チューブ５２及び他方の接続チューブ５３もそれぞれ並べて接続することができることから、計測ミスや該計測ミスに基づいて誤って風量調節がされる危険性も防止することができる。
【００５２】
なお、上記実施の形態では、風量を調節する場合において、上記風量調節装置４５に、各接続チューブ（符号は省略する。）や接続アダプタ５０を介して、微差圧計５１を接続し、この微差圧計５１により計測しながら風量を調節する方法を説明したが、本発明は、必ずしも上記微差圧計５１を使用することなく、以下に説明する方法により、風量調節しても良い。すなわち、上記給気用送風機２５と排気用送風機２６の各出力や、住宅用換気装置２と各部屋を結ぶ各分岐排出管２９，３０，３１，・・・のダクト径、ダクト面積、ダクト長、ダクトの曲りの数、各ダクトの摩擦係数等その他住宅用換気装置２から部屋までに空気が至る経路を構成する全て部材に関するデータを用いながら、実験を繰り返し、各実験により、各部屋に必要な換気量を確保するために必要な上記第１のダンパ本体部４８ａ及び／又は第２のダンパ本体４９ｂの設定角度を予め決定しておき、この設定角度となるように各住宅において調節する方法を採用しても良い。
【図面の簡単な説明】
【００５３】
【図１】住宅の内部構造を模式的に示す模式図である。
【図２】住宅用換気装置を示すものであり、（Ａ）は住宅用換気装置の正面図、（Ｂ）は住宅用換気装置の左側面図、（Ｃ）は住宅用換気装置の右側面図、（Ｄ）は住宅用換気装置の平面図である。
【図３】住宅用換気装置がクローゼット内に配置されている状態を示す側面図である。
【図４】住宅用換気システムを模式的に示す模式図である。
【図５】分岐チャンバに風量調節装置が接続された状態を示す正面図である。
【図６】分岐チャンバの平面図である。
【図７】風量調節装置を示す分解斜視図である。
【図８】風量調節装置を示す斜視図である。
【図９】第１のダンパを示す斜視図である。
【図１０】第２のダンパを示す斜視図である。
【図１１】図８に示す風量調節装置の断面図である。
【図１２】第１及び第２の位置決め片の位置と、第１及び第２のダンパ本体部との位置関係を模式的に示す平面図である。
【図１３】第１及び第２の位置決め片の位置と、第１及び第２のダンパ本体部との位置関係の他の例を模式的に示す平面図である。
【図１４】風量調節装置と微差圧計との接続状態を拡大して示す斜視図である。
【図１５】風量調節装置と微差圧計との接続状態を示す正面図である。
【図１６】従来の住宅用換気システムにおいて、各部屋と換気扇との接続状態を模式的に示す模式図である。
【符号の説明】
【００５４】
１    住宅
２    住宅用換気装置
３    クローゼット
８    開閉扉
２０    第１の管体（外気流入口：OＡ）
２１    第２の管体（室内空気流入口：ＲＡ）
２２    第３の管体（室内空気供給口：ＳＡ）
２３    第４の管体（室内空気流出口：ＥＡ）
２７    外気流入管
２８    室内空気吸込管
２９，３０，３１・・・    分岐排出管
３２    分岐チャンバ
３３    室内空気排気管
４５    風量調節装置
４６    第１のダクト
４６ａ    第１のスリット
４６ｂ    第２のスリット
４６ｃ    一方の分岐管部
４７    第２のダクト
４７ａ    第３のスリット
４７ｂ    第４のスリット
４７ｈ    他方の分岐管部
４７ｉ    上部側係合部
４７ｌ，４７ｍ，４７ｎ    下部側係合部
４８    第１のダンパ
４８ａ    第１のダンパ本体部
４８ｂ    第１の上部回動軸部
４９    第２のダンパ
４９ａ    枠部
４９ｂ    第２のダンパ本体部
４９ｃ    第２の上部回動軸部
５０    接続アダプタ
５０ａ    一方の上流側接続管部
５０ｂ    一方の下流側接続管部
５０ｃ    他方の上流側接続穴部
５０ｄ    他方の下流側接続穴部
５１    微差圧計
５２    一方の接続チューブ
５３    一方の接続チューブ
５４    一方の上流側接続チューブ
５５    他方の下流側接続チューブ
【図１】
0004809302.tif 000003
【図２】
0004809302.tif 000004
【図３】
0004809302.tif 000005
【図４】
0004809302.tif 000006
【図５】
0004809302.tif 000007
【図６】
0004809302.tif 000008
【図７】
0004809302.tif 000009
【図８】
0004809302.tif 000010
【図９】
0004809302.tif 000011
【図１０】
0004809302.tif 000012
【図１１】
0004809302.tif 000013
【図１２】
0004809302.tif 000014
【図１３】
0004809302.tif 000015
【図１４】
0004809302.tif 000016
【図１５】
0004809302.tif 000017
【図１６】
0004809302.tif 000018